(57)【要約】【課題】天井躯体に表装シートを貼付し、天井躯体と表装シートとの間に給電線を隠蔽配線した天井面に、がたつきがなく安定して取付けできる施工の容易な天井直付け電気器具を提供する。また、ベースをパテに埋め込むことで、表装シートを貼り付ける施工性を改善させる。【解決手段】天井面に表装シートを貼付して構成される天井面に直付けされる天井直付け電気器具において、表装シートに開設した孔部より、底面を露見させ、かつ天井面と表装シートとの間に隠蔽配線された給電線を導入する給電線導入口と、この給電線導入口から導入された給電線を通過させ導出するための給電線引出口とを備えて、天井面に直付けされるベースと、このベースに着脱可能に取り付けられ、給電線引出口より導出された給電線を接続して給電を受ける電気器具本体とを備えている。【選択図】      図１
2005018373.tif 000002
【特許請求の範囲】
【請求項１】
天井躯体に表装シートを貼付した天井面に直付けされる電気器具において、
上記表装シートに開設した孔部より、その底面を露見させ、かつ上記天井躯体と上記表装シートとの間に隠蔽配線された給電線を導入する給電線導入口と、この給電線導入口から導入された給電線を通過させ導出するための給電線引出口とを備えたベースと、
このベースに着脱可能に取り付けられ、上記給電線引出口より導出された給電線を接続して給電を受ける電気器具本体とを備えた天井直付け電気器具。
【請求項２】
請求項１において、
上記給電線は、薄厚のテープ状ケーブルであり、その先端の導体部分を除く全体は、天井躯体に接着された保護プレートによって覆い隠された状態で隠蔽配線されており、
上記給電線導入口は、天井面側を開口させ、上記保護プレートの厚みよりも十分に大きい開口丈寸法を有し、かつ上記保護プレートの終端部を収容する切欠段差部の上部に形成されている、
天井直付け電気器具。
【請求項３】
請求項１又は２において、
上記ベースは、上記給電線導入口から平行な状態で導入した給電線を、ほぼ垂直に屈曲させて、上記給電線引出口より上記電気器具本体側に向けて垂下させた状態に導出させている、
天井直付け電気器具。
【請求項４】
請求項１〜３のいずれかにおいて、
上記ベースは、その中心部にビスを螺入させて上記天井面に固着させる構造になっており、かつ、上記切欠段差部は、上記保護プレートの終端部を当接させる突合せ壁を有している、
天井直付け電気器具。
【請求項５】
請求項１〜４のいずれかにおいて、
上記ベースは、上記表装シートより露見させる底面に、施工後に取り外しの可能なマスキングシートを貼付けている、
天井直付け電気器具。
【請求項６】
請求項１〜５のいずれかにおいて、
上記電気器具本体は、カバー体を有しており、そのカバー体を上記ベースに着脱可能に取付ける構造としている、
天井直付け電気器具。
【請求項７】
請求項６において、
上記カバー体は、上記ベースより導入した給電線の余剰部分を収容する、給電線格納部を設けている、天井直付け電気器具。
【請求項８】
請求項１〜７のいずれかにおいて、
上記電気器具本体が、火災感知器である天井直付け電気器具。
【請求項９】
請求項１〜７のいずれかにおいて、
上記電気器具本体が、人体検知器である天井直付け電気器具。
【請求項１０】
請求項１〜７のいずれかにおいて、
上記電気器具本体が、照明器具などの、天井面に直付け器具を取り付ける給電コネクタである天井直付け電気器具。
【請求項１１】
天井躯体に表装シートを貼付させて使用する天井面に、電気器具本体を直付け施工する方法であって、
給電線導入口と、給電線引出口とを形成したベースを上記天井面に取付けるとともに、このベースの上記給電線導入口に、上記天井躯体と上記表装シートとの間に保護プレートで覆い隠されて隠蔽配線された給電線を導入して、その給電線を上記給電線引出口より引き出し、
この状態で上記ベース、上記保護プレートにパテなどの充填補修剤を塗り付けから、天井面に表装シートを貼付け、その後、上記表装シートに上記ベースの底面を露見させる開口部を切断開口させ、
上記ベースの給電線引出口より引き出した給電線を、電気器具本体に接続させた後、この電気器具本体を上記ベースに取り付けることを特徴とする、
電気器具の天井直付け施工方法。
【請求項１２】
請求項１１において、
上記ベースは、その底面に予めマスキングシートを貼付けており、このマスキングシートは、上記表装シートに上記開口部を切断開口させて、上記ベースの底面を露出させた後に、剥がすことを特徴とする、
電気器具の天井直付け施工方法。
【発明の詳細な説明】
【０００１】
【発明の属する技術分野】
本発明は、天井直付け電気器具およびその施工方法に係り、詳しくは、天井躯体に表装シートを貼付して構成される天井面に直付けされる新規な電気器具、並びに、天井躯体に表装シートを貼付して構成される天井面に、電気器具本体を直付け施工する新規な方法に関するものである。
【０００２】
【従来の技術】
従来、天井に取付けられる火災感知器等の電気器具は、天井裏に敷設した給電線に結線させることを想定した構造となっている。
そのため、天井を貫通して垂下させ、引き出した給電線を、天井面にビス止めされた電気器具に結線するか、或いは、天井に形成した開口部に電気器具を嵌め込んで取り付ける構造が一般的であり、このような電気器具やその取付構造の例としては、特許文献１において開示された火災感知器が知られている。
【０００３】
しかしながら、近年、共同住宅等においては、建物の骨格（スケルトン）である躯体部分と、１０〜３０年程度で変更される間取りや室内装飾等の内装（インフィル）部分とを分離して設計された住宅、所謂ＳＩ住宅が検討されつつある。そして、その内装部分に設置される火災感知器などの電気器具についても、機種や仕様変更によって将来的に付替えできることを想定する必要があり、電線管を建物の躯体に埋め込み配線する従来の形態は見直す時期に来ている。そこで、所謂テープケーブル（電線の厚みを薄いテープ状としたもの）を用い、天井の室内面に配線を隠蔽する施工方法が考案されている。
【０００４】
図９は、この施工方法を用いた天井の断面構造を示している。
給電線であるテープケーブル７を、鋼板等によって製された保護プレート５で覆い隠すようにして天井躯体４に接着剤などで取付けてから、保護プレート５の上面からパテ１２を塗付けて段差をなくして、滑らかな面に仕上げ、その上から壁紙等の表装シート１６を貼り、給電線７は、天井躯体４と表装シート１６との間に隠蔽させて配線する。
【０００５】
このような施工方法では、従来構造の火災感知器を天井面に取付ける作業は、次のようになる。
即ち、粘着テープ１０等を用いてテープケーブル７を天井面４に固定したものに保護プレート５を被せて、図７（ａ）に示すように、天井躯体の室内面側、即ち、天井面４に接着剤１１を用いて貼り付ける。このとき、図示しない粘着テープで保護プレート５も天井躯体４に仮止めしておく。そして、所定時間の間放置し、接着剤が乾燥したら、仮止め用の粘着テープ（図示省略）を外して除去する。
【０００６】
次に、図１０に示すように、ヘラ１３を使って保護プレート５の上面からパテ１２を塗り付けて、天井面４との境目が分からないよう埋め、滑らかな面に仕上げる。それから、図１１（ａ）に示すように、パテ１２を塗着した部分に表装シート１６を貼り付け、このとき、テープケーブル７は表装シート１６に開口させた孔部１２ａから引き出し、垂下させておく。
【０００７】
そして、図１１（ｂ）に示すように、中央に円孔２１ａが形成されている火災感知器の円形のベース部材２１を、その円孔２１ａにテープケーブル７を通した状態で、２本のビス１５を用いて天井面４に螺着し固定し、感知器本体２３の電線（図示省略）とテープケーブル７とを結線してから、図１１（ｃ）に示すようにして、感知器本体２３をベース部材２１に取付けて完了となる。
【０００８】
【特許文献１】
特開平１１−１５４２８８号公報
【０００９】
【発明が解決しようとする課題】
しかしながら、従来の火災感知器は、天井裏から配線することを想定した構造であるため、前述したような天井室内面隠蔽施工には適さず、取り付けが困難な上に、施工性が芳しくないという問題があった。即ち、火災感知器を構成するベース部材は、パテ埋めされた箇所にビス止めされるが、盛り上げられたパテ面はデコボコ面になっていることが多く（パテを平面状に塗るのは難しい）、多くの場合、ベース部材はビス止めされているにも拘らず、容易にがたついてしまう状況にあった。
【００１０】
また、給電線は、保護プレートを覆うパテを貫通して取り出されているので、誤って引張る等して垂れ下がっている給電線に下向きの力が作用すると、パテを剥がしながら移動させ、保護プレートの端面に受止められる位置までパテを剥がすと、次にはその鋭利なプレート端面に触れて給電線が傷付くおそれもあった。
【００１１】
このような実情に鑑みて、本発明の目的は、前述の天井の室内面隠蔽配線を施工するにあたり、天井面との間に隙間やがたつきがなく安定して取付けできる電気器具を提供する点にある。また、施工途中において、不測の給電線引張りにより、塗られた充填補修剤（パテ）を剥がしてしまうとか、保護プレート端面と接触して給電線が傷むといった不都合の生じない施工方法を提供することも目的とする。
【００１２】
【課題を解決するための手段】
請求項１の構成は、天井躯体に表装シートを貼付して構成される天井面に直付けされる電気器具において、表装シートに開設した孔部より、その底面を露見させ、かつ天井躯体と表装シートとの間に隠蔽配線された給電線を導入する給電線導入口と、この給電線導入口から導入された給電線を通過させ導出するための給電線引出口とを備えて天井躯体に直付けされるベースと、このベースに着脱可能に取り付けられ、給電線引出口より導出された給電線を接続して給電を受ける電気器具本体とを備えた天井直付け電気器具としたことを特徴とする。
ここに給電線とは、信号線、電力線、配電線等の配線を含むものである（以下において同じ）。
【００１３】
請求項２の構成は、請求項１の構成において、給電線は、薄厚のテープ状ケーブルであり、その先端の導体部分を除く、全体は、天井面に接着された保護プレートによって覆い隠された状態で隠蔽配線されており、給電線導入口は、天井面側を開口させ、上記保護プレートの厚みよりも十分に大きい開口丈寸法を有し、かつ上記保護プレートの終端を収容する切欠段差部の上部に形成されていることを特徴とするものである。
【００１４】
請求項３の構成は、請求項１又は２の構成において、給電線引出口は、給電線導入口から水平状態に導入した給電線を、ほぼ垂直に屈曲させて電気器具本体側に向けて垂下させて引き出すようにした点を特徴とするものである。
【００１５】
請求項４の構成は、請求項１〜３のいずれかにおいて、ベースは、ビスを螺入させて天井躯体に固着させるためのビス孔を備えており、かつ、給電線導入口は、保護プレートの終端部を当接させる突合せ壁を有した突合せ段差部を形成していることを特徴とする。
【００１６】
請求項５の構成は、請求項１〜４において、ベースは、表装シートより露見させる底面に、施工後に取り外しの可能なマスキングシートを貼付けていることを特徴とするものである。
【００１７】
請求項６の構成は、請求項１〜５において、電気器具本体は、カバー体を有しており、そのカバー体はベースに着脱可能に取付けられることを特徴とするものである。
【００１８】
請求項７の構成は、請求項６において、カバー体は、ベースより導入した給電線の結線部や余剰な配線を仮止め収容する、給電線格納部を設けていることを特徴とする。
【００１９】
請求項８の構成は、請求項１〜７のいずれかにおいて、電気器具本体が、火災感知器であることを特徴とする。
【００２０】
請求項９の構成は、請求項１〜７のいずれかにおいて、電気器具本体が、人体検知器であることを特徴とするものである。
【００２１】
請求項１０の構成は、請求項１〜７のいずれかにおいて、電気器具本体が、照明器具などを取り付けるための給電コネクタである
【００２２】
請求項１１の方法は、天井躯体に表装シートを貼付して構成される天井面に、電気器具本体を直付け施工する方法であって、給電線導入口と給電導引出口とを形成したベースを天井面に取付けるとともに、このベースの給電線導入口に、天井躯体と表装シートとの間に保護プレートで覆い隠されて隠蔽配線された給電線を導入して、給電線引出口より給電線を引き出し、この状態でベース、保護プレートに充填補修剤を塗り付けから、天井面に表装シートを貼付け、その後、表装シートにベースを露見させる開口部を切断開口させ、
ベースの給電線引出口より引き出した給電線を、電気器具本体に接続させた後、この電気器具本体をベースに取り付けることを特徴とする。
【００２３】
請求項１２の方法は、請求項１１において、上記マスキングシートは、上記ベースの底面に予め貼付けられており、上記表装シートに上記開口部を切断開口させて、ベースの底面を露出させた後に剥がされることを特徴としている。
【００２４】
【発明の実施の形態】
以下、本発明の実施の形態を図面に基づいて説明する。
【００２５】
本発明による天井直付け電気器具の一例として、火災感知器について説明する。
この火災感知器Ａは、図１〜図３に示すように、天井躯体の表装シート１６を貼り付ける側、つまり天井面４にビス１５を用いて直付けされるベース１と、このベース１に取付け自在なカバー体２と、カバー体２に対して取付け自在な感知器本体（電気器具本体）３とから構成されている。ここに、天井躯体は、建物の構造に応じてコンクリートスラブ、天井板等で構成される。
【００２６】
ベース１は、図２、図４に示すように、壁紙（表装シートの一例）１６に開設した孔部１７より、その底面を露見させるようにして天井面４に取り付け、天井躯体と壁紙１６との間に隠蔽配線されたテープケーブル（給電線の一例）７を、天井面に沿った水平状態で導入する給電線導入口１ｃと、この給電線導入口１ｃから導入されたテープケーブル７を垂下させて引き出すための給電線引出口１ｄとを備えている。
【００２７】
ベース１の構造を詳述すると、基本的には肉厚の小さい扁平な円筒形状の部材であり、天井面４と接触する上面は平坦面１Ｅに形成されるとともに、中心に形成されたビス止め用の貫通孔１Ａと、保護プレート５（後述）の終端部５ｓを差し入れて収容するための切欠段差部１Ｂと、上記した給電線導入口１ｃから給電線引出口１ｄに通じるテープケーブル挿通用の導入路１Ｃとが形成されている。また、ベース１の底面１Ｆ側には、図２に示すように、カバー体２を係脱自在とするための係合部１Ｄが４箇所形成されている。
【００２８】
切欠段差部１Ｂは、ベース１の天井面側を部分的に開口欠如させて（平面視Ｄ形状をなしている）形成され、この切欠段差部１Ｂに、天井面４に接着した保護プレート５の終端部５ｓを収容させることで天井面４から不用意に浮き上がったり、天井面４からの脱落することを防止している。
【００２９】
導入路１Ｃは、図４に見るように、断面視が逆Ｌ字状を呈する屈曲経路をなしており、その入口である給電線導入口１ｃは、切欠段差部１Ｂの上部、つまり起立壁を構成する突合せ壁１ａの上方にテープケーブル７に応じた寸法の開口を形成して構成され、この給電線導入口１ｃより、天井面４に沿った水平状態で導入されたテープケーブル７は、丸みを持った導線支持部１ｅで下方向に屈曲されて、底面１Ｆに開口した給電線引出口１ｄより垂下され、電気器具３側に引き出されている。
ここに、給電線導入口１ｃの電線支持底面は、切欠段差部１Ｂの底面から保護プレート５の厚み分以上は高くなるように設定されている。
【００３０】
つまり、給電線導入口１ｃの導線支持底面と切欠段差部１Ｂの底面との落差をＨ、保護プレート５の厚みをｈとすると、Ｈ≧ｈを充たしており、この条件によって、給電線導入口１ｃは、天井面４側を開いた、保護プレート５の厚みよりも十分に大きい開口丈寸法を有した構造になっている。したがって、このような構造によって、天井面４に沿って水平に配線された保護プレート５を押しつぶすなどして、テープケーブル７に余分な押圧力を加えないようにしている。
【００３１】
カバー体２は、図１、図２、図５、図６に示すように、下方側がやや窄まった略円筒状で合成樹脂製の部材であり、ベース１と感知器本体３とを連結する。また、このようなカバー体２は、その上部側には、ベース１の係合部１Ｄに係入させる４箇所の爪片（図示省略）が形成されるとともに、カバー体２の内側には、後述する結線部９や余剰な部分の給電線７を仮止し、収容するための鍔部２ｂを形成して、給電線格納部２ｋを構成している。
【００３２】
カバー体２の底面側には、感知器本体３のケーシング３Ａを収容して保持するための凹入部２Ａを有し、その凹入部２Ａの上面となる前記鍔部２ｂに、感知器本体３を係脱自在とするための係合フック２ｃ（図６参照）が２箇所に形成されている。このカバー体２をベース１に取付けるには、カバー体２側に設けた爪片（図示省略）を、ベース１の係合部１Ｄに位置合わせした状態で押し込み操作すれば良い。
【００３３】
感知器本体３は、図１、図２、図５、図６に示すように、合成樹脂製のケーシング３Ａに、センサ部３Ｂを収容して成る。ケーシング３Ａにおける、カバー体２の凹入部２Ａに嵌め入れ自在なケーシング３Ａには、係合フック２ｃに係合する対応した切欠き（図示省略）が形成されている。従って、感知器本体３をカバー体２に取付けるには、切り欠き（図示省略）を係合フック２ｃに位置合わせした状態で押し込み操作する。なお、感知器本体３は、孔部３Ｃを形成しており、この孔部３Ｃから導出された配線８を、カバー体２を通じて引き出した給電線７とを結線部９によって接続して、センサ部３Ｂは給電されるようになっている。
【００３４】
次に、この火災感知器Ａを天井に取付ける施工方法について説明する。
この施工方法では、火災感知器並びにその敷設に要する部材類の全てが天井面４の室内側に存在するので、将来的な火災感知器Ａの付替えや機種変更、並びに壁紙を変える等の内装変更を、天井躯体の改造や変更を伴うこと無く行うことができる利点がある。
【００３５】
先ず、図７（ａ）に示すように、粘着テープ１０によってテープケーブル７を覆い隠し、固定した保護プレート５を、その上面の左右両端部に塗布した接着剤１１により、天井躯体４に接着する。この接着時には、図示しない粘着テープを用いて保護プレート５を下方から覆う状態で天井躯体に張り付けて仮止めする。その後、所定時間放置してから接着剤が乾燥したら、仮止め用の粘着テープを外して除去する。ここまでの作業工程は従来の部屋内施工方法と同じである。
【００３６】
次に、図７（ｂ）に示すように、ビス１５を用いて、ベース１を天井躯体４に直に取付けるが、先にテープケーブル７を保護プレート５から導入路１Ｃに通し、切欠段差部１Ｂの突合せ壁１ａに保護プレート５の終端１ｓを当接させて入れ込む。
そして、それからビス１５を螺入させてベース１を天井躯体４に固定する。このとき、ビス１５の螺入操作によってベース１が連れ回りしようとするが、保護プレート５の終端１ｓが突合せ壁１ａに当接することで回り止めされ、良好にビス止めすることができる。尚、ビス孔１Ａは、ベース１の中心以外の位置にあっても良く、要は保護プレート５の終端５ｓを用いて回り止めできる位置であれば良い。
【００３７】
ベース１を取付けたら、図７（ｃ）に示すように、ヘラ１３を用いてパテ（充填補修剤の一例）１２を、保護プレート５の上面と、ベース１の周囲部分に塗りつけて段差や起伏の無い滑らかな面に仕上げる。このパテ塗りにより、保護プレート５が天井躯体４から剥がれ落ちないよう、しっかりと保持できるようになる。尚、ベース１の底面１Ｆには、当初［図７（ｂ）参照］からマスキングシート１４が貼ってあり、ビス５の頭部や導入路１Ｃ等にパテ１２が入り込まないように保護してある。マスキングシート１４は、その粘着面を、ベース１の底面に付着させ、外面はパテなどの付着しにくい、つるつるした平滑面に形成してもよい。
【００３８】
パテ１２の塗着が終わると、図８（ａ）に示す用に、天井面４に壁紙１６を貼り付け、ベース１部分に相当する箇所を切断開口させて、その部分からベース１の底面１Ｆを露出させ、その後にベース１の底面１Ｆに貼り付けられていたマスキングシート１４を剥して取り去る。そして、図８（ｂ）に示すように、感知器本体３の電線８とテープケーブル７とを、カバー体２に挿通させた状態で結線して、ベース１、カバー体２、及び感知器本体３の三者を一体的に固定する。
【００３９】
結線が済むと、図８（ｃ）に示すように、カバー体２をベース１に取付けた状態で、結線部と、余剰な給電線部分をカバー体２の給電線格納部２ｋに収容（図５参照）させ、最後に感知器本体３をカバー体２に嵌め込んで取付けて、火災感知器Ａの天井への取付け施工が完了する。
【００４０】
〔別実施形態〕
図７（ｃ）に示すパテ１２を塗る工程においては、パテ１２の下面をベース１の下面１Ｆと面一又はやや下方となる状態に仕上げて、その後に貼り付ける表装シート１６を、ベース１用の逃がし部を設けることなく１枚シートの状態で接着できるようにすれば、予めベース１用の孔を形成する手間が省けるとともに、その孔と位置合わせしながら壁紙１６を接着する面倒で煩わしい作業から解放されるようになって好都合である。
【００４１】
そして、図４に仮想線で示すように、その貼り付けられた壁紙１６におけるベース１存在箇所に、カッター刃等を用いて壁紙１６を切取って、カバー体２を装着するための露見孔（電気器具本体装着用の露見孔）１７を形成し、そこからマスキングシート１４（図４では不図示）を剥すのである。このように、ベース１を含む状態でパテ１２を塗着した面に壁紙１６を張る方法を採れば、部屋内施工方法の施工性をさらに改善することができる。
【００４２】
また、予めベース１の下面１Ｆにマスキングシート１４が貼付けておけば、パテの不用意な付着も防止でき、なお一層便利である。つまり、天井直付け施工を行う業者に納入する部品としては、剥離自在なマスキングシート１４が装着された状態とされている方が好都合である。
【００４３】
電気器具としては、火災感知器Ａの他、ガス感知器、人体検知器、監視カメラ、或いは、照明器具等の負荷機器と取付けて給電するための配電コネクタ、ローゼット等、種々のものが可能である。
【００４４】
パテ１２以外の充填補修剤としては、軟質石膏、プラスター、ボンド、シリコーン充填材等、種々のものが可能である。表装シート１６は、壁紙の他、クロス、布地シート等でも良い。
【００４５】
火災感知器等の電気器具としては、図１等に示すカバー体２を有さない構造、即ち、ベースと電気器具本体（感知器本体）との２部品で成るものでも良い。
【００４６】
【発明の効果】
請求項１の天井直付け電気器具では、保護プレートを用いる等によって給電線が天井躯体と表装シートとの間に隠蔽配線された構造の天井に取付ける電気器具を、表装シートに開設した孔部より、その一部を露見させ、給電線を導入する給電線導入口と、この給電線導入口から導入された給電線を通過させ導出するための給電線引出口とを備えて天井躯体に直付けされるベースと、ベースに着脱可能に取付けられ、給電線引出口より導出された給電線を接続して給電を受ける電気器具本体とを備えた構造としているので、給電線が邪魔になることなく良好に配線できる状態を保持しながら、電気器具をがたつき無く、かつ天井面に凹凸なく安定して取付けることができた。
【００４７】
電気器具本体としては、請求項８のように火災感知器や、請求項９のように人体検知器であるとか、請求項１０のように給電コネクタとすることが自在である。
【００４８】
請求項２の天井直付け電気器具では、給電線は、薄厚のテープ状ケーブルであり、その先端の導体露出部を除く、全体は、天井躯体側に接着された保護プレートによって覆い隠された状態で隠蔽配線されており、給電線導入口は、天井面側を開口させ、上記保護プレートの厚みよりも十分に大きい開口丈寸法を有し、かつ上記保護プレートの終端を収容する切欠段差部の上部に形成されているので、保護プレートに余分な力が加わらず、保護プレートが天井面から剥がれ落ちるのを阻止できるとともに、給電線が薄厚のテープケーブルであるから、表装シートを含む天井躯体からの下方突出量を小さくでき、天井面の外観も向上できる利点がある。
【００４９】
請求項３の天井直付け電気器具では、給電線導入口から平行な状態で導入した給電線を、屈曲させ、給電線引出口より電気器具本体側に向けて垂下させた状態に変化させて導出するように構成されているので、給電線導入口と給電線引出口との組合せによって、給電線に下向きの力が加わることがあってもその力が保護プレートの端面には作用せず、その鋭利な端面によって給電線が傷つくことが防止されるようになる。その結果、保護プレート端面に力が加わらないようにして、給電線を電気器具本体に向けて引き出すことができる。
【００５０】
請求項４の天井直付け電気器具では、ベースは、ビスを螺入させて天井躯体に固着させるためのビス孔を備えており、かつ、給電線導入口は、保護プレートの終端部を当接させる突合せ壁を有した突合せ段差部を有しているので、ベースを回転させたときには、保護プレートの終端部を、突合せ壁に当接させてストッパーとして作用するので、ビスを螺入させたときにも、ベースの不用意な回動が阻止される。したがって、ベースの天井面への取付けが一層容易になる。
【００５１】
請求項５の天井直付け電気器具では、ベースは、表装シートより露見させる底面に、施工後に取り外しの可能なマスキングシートを貼付けているので、マスキングシートを貼付けたベース、並びに保護プレートが天井躯体に取付けられるので、それら天井躯体に取付けられたベースや保護プレートを、パテ等の充填補修剤で埋め込んだ状態としながら滑らかな天井面を形成することができる。そして、埋め込み施工後にマスキングシートを取り外すことにより、ベースに形成した孔部や凹凸部などに充填補修剤が入り込んだり、付着する不都合も解消され、施工性に優れたものとなる。
【００５２】
請求項６の天井直付け電気器具では、電気器具本体は、カバー体を有しており、そのカバー体はベースに着脱可能に取付けられるから、ベースには電気器具本体を直接取付けないので、ベースの底面を構造の簡単な平坦面にすることが可能であるとともに、電気器具との配線、取り付けは、カバー体を通じて支障なく行うことができる。
【００５３】
請求項７の天井直付け電気器具では、カバー体は、ベースより導入した給電線を仮止め収容する、給電線格納部を設けているので、給電線を電気器具本体の電線に接続した際の結線部や、余剰な給電線を仮止め収容させて隠蔽することで、電線を挟み込む不都合なく簡単で便利に電気器具をベースに取り付けすることができる。
【００５４】
請求項１１、１２の天井直付け電気器具の施工方法では、給電線導入口と、給電線引出口を形成したベースを天井躯体に取付けるとともに、このベースの給電線導入口に、天井躯体と表装シートとの間に保護プレートで覆い隠されて隠蔽配線された給電線を導入して、導線引出口より給電線を引き出し、この状態でベース、保護プレートにパテなどの充填補修剤を塗り付けから、天井面に表装シートを貼付け、その後、表装シートにベースを露見させる開口部を切断開口させ、ベースの給電線引出口より引き出した給電線を、電気器具本体に接続させた後、この電気器具本体をベースに取り付けるようにしたものである。
このような方法によれば、配線が目立たない隠蔽配線が容易に実施できるとともに、天井面の内装をリフォームする際にも、天井躯体には手を加えなくて良いので、簡単で容易に対応することができ、施工性に優れている。
【００５５】
また、請求項１２のように、ベースの底面に予めマスキングシートを貼付けて施工を行なう場合には、ベースの底面に充填補修剤が入り込んだり、付着させないように注意しながら施工する必要もなくなり、施工性を一層、簡略化することができる。
【図面の簡単な説明】
【図１】本発明の適用された火災感知器の基本構造を示す分解斜視図
【図２】火災感知器の天井への取付け構造の概略を示す原理図
【図３】ベースの形状を示す上方からの斜視図
【図４】ベースの天井への取付構造を示す拡大断面図
【図５】カバー体への結線収容状態を示す火災感知器の一部切欠きの側面図
【図６】カバー体と感知器本体との連結構造を示す分解斜視図
【図７】天井直付け用の施工方法を示し、（ａ）は保護プレートの天井装着状態を示す図、（ｂ）はベースを取付けた状態を示す図、（ｃ）はパテの塗布作業を示す図
【図８】天井直付け用の施工方法を示し、（ａ）は壁紙を貼り付けた状態を示す図、（ｂ）は感知器本体に結線した状態を示す図、（ｃ）は取付が完成した状態を示す図
【図９】テープケーブルを用いた天井直付け施工による天井の断面図
【図１０】従来における保護プレートを覆うパテ塗り状況を示す図
【図１１】従来の施工方法を示し、（ａ）は壁紙を貼り付けた状態を示す図、（ｂ）はベースの取付状態を示す図、（ｃ）は取付が完成した状態を示す図
【符号の説明】
１              ベース
１Ｂ        突合せ段差部
１ｃ            給電線導入口
１ｄ            給電線引出口
１ｅ          突合せ壁
１Ａ            ビス孔
１Ｆ            底面
２              カバー体
２ｋ            給電線格納部
３              電気器具本体
４              天井面
５              保護プレート
５ｓ            終端部
７              給電線
１２            充填補修剤
１４            マスキングシート
１６            表装シート
１７            孔部、開口部
【図１】
2005018373.tif 000003
【図２】
2005018373.tif 000004
【図３】
2005018373.tif 000005
【図４】
2005018373.tif 000006
【図５】
2005018373.tif 000007
【図６】
2005018373.tif 000008
【図７】
2005018373.tif 000009
【図８】
2005018373.tif 000010
【図９】
2005018373.tif 000011
【図１０】
2005018373.tif 000012
【図１１】
2005018373.tif 000013